(57)【特許請求の範囲】
【請求項１】
吸引手段に連結する吸込みホースの先端に取り付き、汚泥が沈積する水底に配置し、操作アームで操作する浚渫用アタッチメントであって、
前記操作アームに結合するケースと、
前記ケースに収納した略円筒形の内側容器と該内側容器を包む回転筒と、
前記内側容器に連結した前記吸込みホースと、
前記内側容器に開口した多数の吸泥窓と、
前記回転筒の外周面に前記吸泥窓と連通するように開設した多数の吸引窓と、
汚泥を前記回転筒の外周中央部に集めるように該回転筒外周面に設けた汚泥収拾手段とからなり、
汚泥収拾手段は、前記回転筒外周面に外周中央部から互いに逆方向にねじって形成したスクリューオーガであるとともに該スクリューオーガを周方向に間隔をもって複数個設けてあり、
かつ、その断面形状がＵ字形に湾曲しており、
汚泥を前記汚泥収拾手段で集めながら前記吸引窓へ送り込むようにしたことを特徴とする
浚渫用アタッチメント。
【請求項２】
請求項１記載の浚渫用アタッチメントと、
その浚渫用アタッチメントを収納する、蓋付きのケースと、
破砕機とによって構成し、
浚渫用アタッチメントの内側容器の吸泥窓が蓋の方へ向くよう、浚渫用アタッチメントをケース内に収納し、
ケース内であって、浚渫用アタッチメントが推定の汚泥に向かって移動する側の面の前方には破砕機を設置した、
請求項１記載の浚渫用アタッチメント。
【発明の詳細な説明】
【０００１】
【発明の属する技術分野】
本発明は、河口、港湾、湖、池、堀等の水底に沈積している汚泥を掘り取るための浚渫用アタッチメントに関するものである。
【０００２】
【従来の技術】
河口、港湾、湖、池、堀等の水底に沈積している汚泥は、水深を浅くするだけでなく、公害発生の原因ともなり、従来より汚泥を掘り取るための浚渫装置は多数開発されており、各々が特徴を備えている。
【０００３】
【本発明の目的】
本発明は上記したような浚渫装置の一種であり、特にコンパクトで作業効率のよい浚渫用アタッチメントを提供することを目的とする。
【０００４】
【課題を解決するための手段】
上記のような目的を達成するために本発明の浚渫用アタッチメントは、吸引手段に連結する吸込みホースの先端に取り付き、汚泥が沈積する水底に配置し、操作アームで操作する浚渫用アタッチメントであって、前記操作アームに結合するケースと、前記ケースに収納した略円筒形の内側容器と該内側容器を包む回転筒と、前記内側容器に連結した前記吸込みホースと、前記内側容器に開口した多数の吸泥窓と、前記回転筒の外周面に前記吸泥窓と連通するように開設した多数の吸引窓と、汚泥を前記回転筒の外周中央部に集めるように該回転筒外周面に設けた汚泥収拾手段とからなり、汚泥収拾手段は、前記回転筒外周面に外周中央部から互いに逆方向にねじって形成したスクリューオーガであるとともに該スクリューオーガを周方向に間隔をもって複数個設けてあり、かつ、その断面形状がＵ字形に湾曲しており、汚泥を前記汚泥収拾手段で集めながら前記吸引窓へ送り込むようにしたことを特徴としている。
また本発明の浚渫用アタッチメントは、前記の浚渫用アタッチメントと、その浚渫用アタッチメントを収納する、蓋付きのケースと、破砕機とによって構成し、浚渫用アタッチメントの内側容器の吸泥窓が蓋の方へ向くよう、浚渫用アタッチメントをケース内に収納し、ケース内であって、浚渫用アタッチメントが推定の汚泥に向かって移動する側の面の前方には破砕機を設置したことを特徴としている。
【０００５】
【本発明の実施の形態】
以下図面を参照しながら本発明の浚渫用アタッチメントの実施例について説明する。
【０００６】
＜イ＞浚渫用アタッチメント
浚渫用アタッチメント１は、略円筒形の内側容器１０とこの内側容器１０を包む回転筒２０とからなっている。ケース２に内側容器１０を固定し、更にケース２は台船７等からの連結棒５に結合している（図５、図６参照）。
【０００７】
＜ロ＞内側容器
円筒形の内側容器１０は、外周面１１と両端面１２、１２から形成する。
一方の端面１２には、継手１３を取り付けている。この継手１３は、端面１２の箇所から直角に湾曲して鉛直方向に延び、後述する吸込みホース３に接続している。
他方の端面１２には、オイルモータ１４などの駆動源を取り付けている。オイルモータ１４は、後述するように回転筒２０を回転駆動する。
【０００８】
外周面１１の前面、即ち、後述するように浚渫用アタッチメント１が水底の汚泥に向かって移動する側の面には、所定の範囲にわたって略正方形からなる多数の吸泥窓１５、１５を並べて設けている。
この多数の吸泥窓１５、１５は、外周面１１を開口し、この開口部を細かく格子状に区画することによって構成することができる。細かく格子状に区画することによって、汚泥中の大きな固形物の流入を防いでいる。
吸泥窓１５、１５の後方はそのまま大きく仕切った通路１６とし、通路１６の先に円筒状の吸泥筒１７が連結し、連通している。
吸泥筒１７の一方は延長して前記の継手１３に接続している。
【０００９】
＜ハ＞回転筒
回転筒２０は、内側容器１０の外周面１１に嵌合している。回転筒２０も内側容器１０と同じように円筒形に形成している。
また、回転筒２０の一端は開放して内側容器の継手１３が突き出るようになっている。
【００１０】
回転筒２０の他端には、公知の回転伝達機構（図示せず）を介して前記のオイルモータ１４が結合している。したがって、オイルモータ１４を駆動することによって、回転筒２０は内側容器１０を中心に回転駆動する。
回転筒２０の外周面２１には、やや大きめに区切って形成した長方形状の窓２２を多数開設している。これら窓２２は、汚泥を取り入れる吸引窓２２を構成する。
吸引窓２２は、外周面２１の周囲にわたって開設しており、前記内側容器１０に並設した吸泥窓１５と重なり合うようになっている。実施例では、一つの吸引窓２２が６個乃至８個の吸泥窓１５と重なり合っている（図１参照）。
また、回転筒２０の外周面２１には汚泥収拾手段２３を設け、汚泥を外周中央部２１ａに集めながら吸引窓２２に送り込むようになっている。
【００１１】
＜ニ＞汚泥収拾手段
汚泥収拾手段２３は、回転筒２０の外周面２１の外周中央部２１ａから互いに逆方向にねじって形成したスクリューオーガ２４、２５からなり、周方向に略６０度の角度にわたって巻き付いている。
即ち、スクリューオーガ２４とスクリューオーガ２５とは、回転筒２０の外周中央部２１ａにおける開始点が互いに約１８０度位相がずれて巻き付いている。
このスクリューオーガ２４、２５は、外周面２１に周方向に適宜の間隔をもって溶接などにより一体に取り付けている。
【００１２】
スクリューオーガ２４、２５は、回転筒２０の前面（浚渫用アタッチメント１が水底の汚泥に向かって移動する側の面）から見てハの字形に形成して外周中央部２１ａで間隔をあけて取り付けているが、間隔をあけることなく連続して山形の形状で取り付けてもよい。
また、スクリューオーガ２４、２５は、図４に示すように周方向に６０度の間隔をおいて左右に６枚づつ計１２枚設置しているが、汚泥の状況等により１２枚より多くしてもよく、また少なくしてもよい。
更に、実施例では、スクリューオーガ２４、２５を周方向に略６０度の角度にわたって巻き付けているが、汚泥の状況等により６０度以上の角度にわたって巻き付けてもよく、あるいは６０度以下の角度で巻き付けてもよい。
【００１３】
スクリューオーガ２４、２５は、汚泥を確実に掻き集めて掬うことができ、且つ、掻き集めて掬った汚泥をねじれに沿って移動することができるように断面形状がＵ字形に湾曲している。
スクリューオーガ２４、２５は、外周中央部２１ａから互いに逆方向にねじって形成しているため、スクリューオーガ２４、２５の先端部（回転筒２０の両端に近い側）２４ａ、２５ａで掻き集めて掬った汚泥は、夫々のねじれに沿って徐々に移動し、外周中央部２１ａに集めながら吸引窓２２へ送り込むことになる。
【００１４】
＜ホ＞浚渫用アタッチメント１の取り付け
継手１３を吸込みホース３の先端に接続して、浚渫用アタッチメント１と吸込みホース３を結合する。 吸込みホース３の後方は台船７や浚渫船等に続いており、これらに設置している公知の吸引手段に連通し、連結している。
内側容器１０の吸泥窓１５が蓋４の方へ向くように、浚渫用アタッチメント１をケース２に収納し、ケース２の上部を台船７からの連結棒５に接続する。
【００１５】
ケース２内には、浚渫用アタッチメント１の前面（浚渫用アタッチメント１が水底の汚泥に向かって移動する側の面）前方に破砕機９を設置している。
ケース２前面の蓋４は開閉自在となっており、汚泥を採集するときは、蓋４を開口する。
このようにして浚渫用アタッチメント１を台船７に取り付ける。
【００１６】
【作用】
次ぎに図６を参照して本発明の浚渫用アタッチメント１を使用している状態を説明する。
【００１７】
浚渫用アタッチメント１を台船７に取り付けたら、汚泥５１を採集する場所まで台船７を移動する。移動後、台船７をその位置に止めて、操作アーム６を操作して連結棒５に結合しているケース２を水中に沈めていき、 水底５０に設置する。
ケース２には、前記したように浚渫用アタッチメント１と破砕機９を収納しているので、これらが汚泥５１の沈積している水底５０に配置されることになる。ケース２の蓋４をあけて汚泥５１を吸引できるように準備する。
【００１８】
操作アーム６を操作して連結棒５とともにケース２を動かして、浚渫用アタッチメント１を汚泥５１に向けて移動する。
同時にオイルモータ１４を駆動して、継手１３側から見て回転筒２０を反時計方向に回転する（図１、図６参照）。回転筒２０の回転により、その外周面２１に取り付けているスクリューオーガ２４、２５が水底５０で回動し、最初に回転筒２０の両端に近い側に位置している先端部２４ａ、２５ａが水底５０に沈積している汚泥５１に食い込む。
回転にしたがい、スクリューオーガ２４、２５全体が汚泥５１に食い込み、汚泥５１をＵ字形の受部に掻き集め、且つ掬い上げて収納し、ねじれに沿って汚泥５１を徐々に移動して中央部２１ａに集めることになる。
【００１９】
なお、破砕機９は汚泥中に含まれる樹木や大きな木片などを細かく破砕する。
スクリューオーガ２４、２５は連続的に回動しているので、一つのスクリューオーガ２４、２５による汚泥５１の食い込み、掻き集めに続いて、次に位置するスクリューオーガ２４、２５が引き続いて汚泥５１を掻き集めて中央部２１ａへ送り込む。
【００２０】
中央部２１ａに集まった汚泥５１は吸引窓２２から内側容器１０の多数の吸泥窓１５、１５に導かれる。一方、吸引手段を作動し、吸泥窓１５、１５に導かれた汚泥５１を通路１６、吸泥筒１７、継手１３から吸込みホース３を介して吸引し、汚泥５１を台船７等で回収する。
スクリューオーガ２４、２５によって汚泥５１を中央部２１ａへ掻き集める作用と吸引手段の吸引作用によって、汚泥５１がスクリューオーガ２４、２５、吸引窓２２、吸泥窓１５、吸泥筒１７及びこれと連通している吸込みホース３へ効率よく吸込まれるのである。
【００２１】
このように台船７を停泊した状態で、操作アーム６を操作しながら浚渫用アタッチメント１を周囲に移動して汚泥５１を掻き集め、吸引し、回収する。汚泥５１を回収したら台船７を別の場所へ移動して再び前述したように汚泥５１を掻き集め、吸引し、回収する。以下、この手順を繰り返す。
【００２２】
【本発明の効果】
本発明の浚渫用アタッチメントは、以上説明したようになるから次のような効果を得ることができる。
＜イ＞内側容器とこれを包む回転筒を円筒形に形成して二重構造としたので、コンパクトな構造となっている。
＜ロ＞左右のスクリューオーガのねじれに沿って汚泥を中央部に掻き集めて吸引する構造のため、汚泥回収の作業効率がよい。
＜ハ＞吸込みホース先端に取り付け、水底に沈積する汚泥を直接掻き集め、吸引し、回収するものであるから、例えばバケットなどで掴んで水上に持ち上げて回収する方式と異なり、周囲の水域を汚濁することがない。
【図面の簡単な説明】
【図１】浚渫用アタッチメントの斜視図。
【図２】内側容器の斜視図。
【図３】回転筒の斜視図。
【図４】浚渫用アタッチメントの側面図。
【図５】浚渫用アタッチメントをケースに収納した状態を示す斜視図。
【図６】浚渫用アタッチメントを使用している説明図。
【符号の説明】
１  …  浚渫アタッチメント
２  …  ケース
３  …  吸込みホース
１０  …  内側容器
１１  …  外周面
１３  …  継手
１４  …  オイルモータ
１５  …  吸泥窓
１７  …  吸泥筒
２０  …  回転筒
２１  …  外周面
２１ａ  …  外周中央部
２２  …  吸引窓
２３  …  汚泥収拾手段
２４、２５  …  スクリューオーガ
２４ａ、２５ａ  …  スクリューオーガの先端部
【図１】
0004698005.tif 000002
【図２】
0004698005.tif 000003
【図３】
0004698005.tif 000004
【図４】
0004698005.tif 000005
【図５】
0004698005.tif 000006
【図６】
0004698005.tif 000007